(57)【要約】      （修正有）【課題】ケーブルを十分に緊締し、筒状体をケーブルに強固に固定するケーブル周設用ブッシュングを提供する。【解決手段】２つ割りの保護筒１４をコネクタ３ａ、３ｂ、筒状プロテクタ７の周囲に被着し、保護筒１４のねじ部１４ａにナット１３を螺合して、２つ割りの保護筒１４同士を一体化する。ナット１３を締め付けることによりスリーブ１２がブッシュング１１のテーパ部をその法線方向に押さえ付ける。この締付力は絶縁被覆９に対するベクトルの力と保護筒１４の端部を押すベクトルの力に分けられ、それぞれのベクトルの力に対応して絶縁被覆９と保護筒１４の端部を強い力で押さえ付ける。【選択図】図２
2007095397.tif 000002
【特許請求の範囲】
【請求項１】
ケーブルの周囲に筒状体を間隙を隔てて固定する場合において、合成ゴムから成る略円筒状で外側にテーパ面を有するブッシュングを前記ケーブルに挿通すると共に、前記筒状体の端部に当接し、前記ブッシュングの前記テーパ面を外側から締め付けることにより、前記ブッシュングにより前記ケーブルを緊締すると共に前記ブッシュングを前記筒状体の端部に強く押し付けることを特徴とするケーブル周設用ブッシュング。
【請求項２】
前記テーパ面にテーパ部を有する環状体を外側から押し付けるようにしたことを特徴とする請求項１に記載のケーブル周設用ブッシュング。
【請求項３】
前記環状体はナットを前記筒状体に螺合することにより、前記テーパ部を締め付けるようにしたことを特徴とする請求項２に記載のケーブル周設用ブッシュング。
【請求項４】
前記ブッシュングは防水シール材として機能するようにした請求項１に記載のケーブル周設用ブッシュング。
【発明の詳細な説明】
【技術分野】
【０００１】
本発明は、ケーブルとその周囲の筒状体の間を固定するケーブル周設用ブッシュングに関するものである。
【背景技術】
【０００２】
ケーブルの配索にあっては、ケーブル上に筒状体を固定したり、ケーブルと筒状体の間を防水構造とする場合がある。
【発明の開示】
【発明が解決しようとする課題】
【０００３】
しかし、この場合にケーブルの表面は滑り易く、筒状体の固定が不十分であったり、十分な防水を行うことができないことも多い。
【０００４】
本発明の目的は、上述の問題点を解消し、ケーブルを十分に緊締し、筒状体をケーブルに強固に固定し得るケーブル周設用ブッシュングを提供することにある。
【課題を解決するための手段】
【０００５】
上述の目的を達成するための本発明に係るケーブル周設用ブッシュングの技術的特徴は、ケーブルの周囲に筒状体を間隙を隔てて固定する場合において、合成ゴムから成る略円筒状で外側にテーパ面を有するブッシュングを前記ケーブルに挿通すると共に、前記筒状体の端部に当接し、前記ブッシュングの前記テーパ面を外側から締め付けることにより、前記ブッシュングにより前記ケーブルを緊締すると共に前記ブッシュングを前記筒状体の端部に強く押し付けることにある。
【発明の効果】
【０００６】
本発明に係るケーブル周設用ブッシュングによれば、ケーブルへの固定強度を高めると共に筒状体に強固に当接できる。
【発明を実施するための最良の形態】
【０００７】
本発明を図示の実施例に基づいて詳細に説明する。
図１は本発明を適用した実施例の分解斜視図、図２は縦断面図である。ケーブル１ａ、１ｂ中の多数本の電線２ａ、２ｂは、一対の合成樹脂製のコネクタ３ａ、３ｂにより接続されている。コネクタ３ａ、３ｂ内には接続端子が収納され、これらの接続端子に電線２ａ、２ｂがそれぞれ接続されており、コネクタ３ａと３ｂとを嵌合すると、双方の接続端子が電気的に接続されるようになっている。
【０００８】
なお、コネクタ３ａ、３ｂ同士の間は、図示しない合成ゴム製のシール部材により合わせ目から水が浸入しないようにされ、更に各電線２ａ、２ｂごとにコネクタ３ａ、３ｂのハウジングとの間がシール部材により同様にシールされているため、コネクタ３ａ、３ｂの前方又は後方からコネクタ３ａ、３ｂ内に水が浸入することはない。
【０００９】
本実施例では電線２ａ、２ｂの本数が多く、コネクタ３ａ、３ｂ同士の嵌合、解除に大きな力を必要とするため、例えばコネクタ３ａにはカム溝４を有する回動レバー５が設けられ、カム溝４に相手側コネクタ３ｂに設けたピン６を係止して、回動レバー５の回動によるてこ作用によってコネクタ３ａ、３ｂ同士を大きな力を要せずに嵌合、解離できるようになっている。
【００１０】
コネクタ３ａの後方には、合成樹脂製又は金属製の筒状プロテクタ７が連結されている。なお、コネクタ３ｂの後方にも同様な筒状プロテクタ７が配置され、コネクタ３ａとほぼ対称の構造とされている。
【００１１】
筒状プロテクタ７内のコネクタ３ａ側は、コネクタ３ａの後部を覆うと共に嵌合する形状に形成され、コネクタ３ａとの間に合成ゴム製のシール部材８が介在されており、筒状プロテクタ７への前方からの水の浸入が阻止されている。
【００１２】
コネクタ３ａ、３ｂに連結された筒状プロテクタ７とケーブル１ａ、１ｂの絶縁被覆９間には、筒状プロテクタ７の後方から、合成ゴムから成る筒状で内外面に断面波型を形成したグロメット１０が挿入され、筒状プロテクタ７内は防水構造とされている。
【００１３】
更に、絶縁被覆９上には合成ゴム製で後部にテーパ部１１ａを有するブッシュング１１、ブッシュング１１のテーパ部１１ａに当接する形状のテーパ面を有する環状形の金属製スリーブ１２、金属製又は金属樹脂製のナット１３が装着されている。
【００１４】
また、コネクタ３ａ、３ｂ、筒状プロテクタ７の上に、合成樹脂製又は金属製の２つ割りの保護筒１４が被着され、両端においてナット１３により固定されている。
【００１５】
組立時には、ナット１３、スリーブ１２、ブッシュング１１の順で絶縁被覆９上に挿通し、続いてグロメット１０、筒状プロテクタ７を挿通する。
【００１６】
ここで、各電線２ａに接続端子を接続してから、全ての接続端子をコネクタ３ａに挿着し、コネクタ３ａを同様に処理したコネクタ３ｂと嵌合する。続いて、筒状プロテクタ７をコネクタ３ａ側に引き寄せ、筒状プロテクタ７をコネクタ３ａに連結してから、絶縁被覆９と筒状プロテクタ７の後部の隙間にグロメット１０を押し込み、筒状プロテクタ７の内部を防水構造とする。
【００１７】
更に、２つ割りの保護筒１４をコネクタ３ａ、３ｂ、筒状プロテクタ７の周囲に被着し、保護筒１４のねじ部１４ａにナット１３を螺合して、２つ割りの保護筒１４同士を一体化する。
【００１８】
このように、ナット１３を締め付けることにより、図３に示すようにスリーブ１２がブッシュング１１のテーパ部１１ａをその法線方向に、締付力Ａにより押さえ付ける。つまり、ブッシュング１１のテーパ部１１ａには、スリーブ１２を介してナット１３の締付力Ａが加わる。この締付力Ａは絶縁被覆９の方向に対するベクトルＢと保護筒１４の端部を押すベクトルＣに分けられ、それぞれベクトルＢとベクトルＣの力に対応して絶縁被覆９と保護筒１４の端部を強い力で押さえ付ける。
【００１９】
ベクトルＢの力により絶縁被覆９はブッシュング１１により強い緊締力により締め付けられ、多少の外力が加わっても、ブッシュング１１は絶縁被覆９に対しずれるようなことはない。同時に、ブッシュング１１はベクトルＣの力により保護筒１４の端部を強く前方に押さえ付けるため、保護筒１４の絶縁被覆９に対する位置関係が保持されることになる。
【００２０】
このような構成により、ケーブル１ａに保護筒１４が固定されることになり、ケーブル１ａに捩れ、伸縮が加わっても、これらの力はブッシュング１１を介して保護筒１４が受けることになる。なお、ケーブル１ｂ側においても同様である。
【００２１】
なお、本実施例においては、保護筒１４は２つ割り構造であるため、ブッシュング１１が防水機能を果たすことはない。しかし、保護筒１４が密閉型であれば、ブッシュング１１は絶縁被覆９と保護筒１４間に強固に介在されているので、ブッシュング１１により保護筒１４内への水の浸入を防止することができる。
【図面の簡単な説明】
【００２２】
【図１】実施例の分解斜視図である。
【図２】縦断面図である。
【図３】ブッシュングに加わるベクトル力の説明図である。
【符号の説明】
【００２３】
１ａ、１ｂ  ケーブル
２ａ、２ｂ  電線
３ａ、３ｂ  コネクタ
７  筒状プロテクタ
９  絶縁被覆
１０  グロメット
１１  ブッシュング
１２  スリーブ
１３  ナット
１４  保護筒
【図１】
2007095397.tif 000003
【図２】
2007095397.tif 000004
【図３】
2007095397.tif 000005